【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
地図データのリンクに対応し、車両の走行実績に基づいた交通情報が格納された渋滞情報記憶手段と、
地図データが格納された地図記憶手段と、
表示装置と、
交通情報を受信する交通情報受信手段と、
出発地及び目的地が与えられると、前記地図データ、前記交通情報受信手段からの交通情報及び前記渋滞情報記憶手段の交通情報に基づいて、出発地から目的地までの経路を求めて前記表示装置に表示させるデータ処理手段と
を備えたことを特徴とするナビゲーション装置。
【請求項２】
前記データ処理手段は、前記地図データの同一のリンクについて、前記渋滞情報記憶手段の前記交通情報と、前記交通情報受信手段からの交通情報とが重複している場合には、前記交通情報受信手段からの交通情報を用いることを特徴とする請求項１記載のナビゲーション装置。
【請求項３】
前記渋滞情報記憶手段には、前記地図データのリンクに対応した所定の時間帯毎の交通情報が格納されていることを特徴とする請求項１又は２記載のナビゲーション装置。
【請求項４】
前記渋滞情報記憶手段には、前記地図データのリンクに対応した季節係数が更に格納されていることを特徴とする請求項３記載のナビゲーション装置。
【請求項５】
月日及び時刻を計測する時計手段を備え、前記データ処理手段は、前記時計手段の出力に基づいて前記渋滞情報記憶手段のデータを読み出すことを特徴とする請求項３又は４記載のナビゲーション装置。
【請求項６】
前記データ処理手段は、前記地図データに基づいて出発地から目的地までの複数の経路候補を求め、各経路候補について、前記交通情報受信手段からの交通情報を用いて得られた旅行時間と、前記渋滞情報記憶手段の前記交通情報を用いて得られた旅行時間とを加算して総旅行時間を求め、前記総旅行時間が最短時間となるものを経路として採用することを特徴とする請求項２乃至５の何れかに記載のナビゲーション装置。
【請求項７】
前記データ処理手段は、前記交通情報受信手段からの交通情報がない各リンクについて、前記時計手段の出力に基づいて渋滞情報記憶手段の該当する時間帯毎の交通情報及び季節係数をそれぞれ読み出して、その交通情報及び季節係数に基づいて旅行時間をそれぞれ求め、その旅行時間を積算することを特徴とする請求項５又は６記載の記載ナビゲーション装置。
【請求項８】
現在位置を検出するための位置検出手段と、
移動速度を検出するための速度計測手段とを備え、
前記データ処理手段は、前記位置検出手段により検出された現在位置に基づいて前記地図データを読み込んで地図画像を表示装置に表示させるとともに、前記現在位置、及び前記速度計測手段により検出された移動速度をデータ処理して、前記渋滞情報記憶手段に、車両の平均速度又は旅行時間からなる渋滞情報を前記交通情報として格納することを特徴とする請求項１乃至７の何れかに記載の記載ナビゲーション装置。
【請求項９】
現在位置を検出するための位置検出手段を備え、
前記データ処理手段は、前記位置検出手段により検出された現在位置に基づいて前記地図データを読み込んで地図画像を表示装置に表示させるとともに、前記現在位置及び前記時計部の出力に基づいて、地図データの該当するリンクの旅行時間を求めて、前記渋滞情報記憶手段に、車両の平均速度又は旅行時間からなる渋滞情報を前記交通情報として格納することを特徴とする請求項５乃至７の何れかに記載の記載ナビゲーション装置。
【請求項１０】
前記データ処理手段は、前記移動速度又は現在の旅行時間に基づいて、前記データベースの該当するリンクの交通情報を更新することを特徴とする請求項８又は９記載のナビゲーション装置。
【請求項１１】
前記データ処理手段は、前記時計手段の出力に基づいて、地図データの各リンクに対応した、該当する時間帯の交通情報を更新することを特徴とする請求項１０記載のナビゲーション装置。
【請求項１２】
請求項１乃至１１の何れかに記載のナビゲーション装置のデータ処理手段を中央処理装置に行わせることを特徴とするプログラム。
【手続補正２】
【補正対象書類名】明細書
【補正対象項目名】０００６
【補正方法】変更
【補正の内容】
【０００６】
【課題を解決するための手段】
本発明の一つの態様に係るナビゲーション装置は、地図データのリンクに対応し、車両の走行実績に基づいた交通情報が格納された渋滞情報記憶手段と、地図データが格納された地図記憶手段と、表示装置と、交通情報を受信する交通情報受信手段と、出発地及び目的地が与えられると、地図データ、交通情報受信手段からの交通情報及び渋滞情報記憶手段の交通情報に基づいて、出発地から目的地までの経路を求めて表示装置に表示させるデータ処理手段とを備えたものである。本発明においては、地図データ、交通情報受信手段からの交通情報及び渋滞情報記憶手段の交通情報に基づいて、出発地から目的地までの経路を求めるようにしており、交通情報受信手段からの交通情報の他に、渋滞情報記憶手段の交通情報を用いるようにしたので、道路交通情報システムがカバーされていない領域においても、高精度に経路探索することができる。
【手続補正３】
【補正対象書類名】明細書
【補正対象項目名】０００７
【補正方法】変更
【補正の内容】
【０００７】
本発明の他の態様に係るナビゲーション装置において、データ処理手段は、地図データの同一のリンクについて、交通情報受信手段からの交通情報と、渋滞情報記憶手段の交通情報とが重複している場合には、交通情報受信手段からの交通情報を用いる。
【手続補正４】
【補正対象書類名】明細書
【補正対象項目名】０００８
【補正方法】変更
【補正の内容】
【０００８】
本発明の他の態様に係るナビゲーション装置において、渋滞情報記憶手段には、地図データのリンクに対応した所定の時間帯毎の交通情報が格納される。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明の他の態様に係るナビゲーション装置において、渋滞情報記憶手段には、地図データのリンクに対応した季節係数が更に格納されている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の他の態様に係るナビゲーション装置は、月日及び時刻を計測する時計手段を備え、データ処理手段は、時計手段の出力に基づいて渋滞情報記憶手段のデータを読み出す。
【手続補正９】
【補正対象書類名】明細書
【補正対象項目名】００１３
【補正方法】変更
【補正の内容】
【００１３】
本発明の他の態様に係るナビゲーション装置において、前記データ処理手段は、前記地図データに基づいて出発地から目的地までの複数の経路候補を求め、各経路候補について、前記交通情報受信手段からの交通情報を用いて得られた旅行時間と、前記渋滞情報記憶手段の前記交通情報を用いて得られた旅行時間とを加算して総旅行時間を求め、前記総旅行時間が最短時間となるものを経路として採用する。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明の他の態様に係るナビゲーション装置において、データ処理手段は、交通情報受信手段からの交通情報がない各リンクについて、時計手段の出力に基づいて渋滞情報記憶手段の該当する時間帯毎の交通情報及び季節係数をそれぞれ読み出して、その交通情報及び季節係数に基づいて旅行時間をそれぞれ求め、その旅行時間を積算する。
【手続補正１２】
【補正対象書類名】明細書
【補正対象項目名】００１６
【補正方法】変更
【補正の内容】
【００１６】
本発明の他の態様に係るナビゲーション装置は、現在位置を検出するための位置検出手段と、移動速度を検出するための速度計測手段とを備え、前記データ処理手段は、前記位置検出手段により検出された現在位置に基づいて前記地図データを読み込んで地図画像を表示装置に表示させるとともに、前記現在位置、及び前記速度計測手段により検出された移動速度をデータ処理して、前記渋滞情報記憶手段に、車両の平均速度又は旅行時間からなる渋滞情報を前記交通情報として格納する。
【手続補正１３】
【補正対象書類名】明細書
【補正対象項目名】００１７
【補正方法】変更
【補正の内容】
【００１７】
本発明の他の態様に係るナビゲーション装置は、現在位置を検出するための位置検出手段を備え、前記データ処理手段は、前記位置検出手段により検出された現在位置に基づいて前記地図データを読み込んで地図画像を表示装置に表示させるとともに、前記現在位置及び前記時計部の出力に基づいて、地図データの該当するリンクの旅行時間を求めて、前記渋滞情報記憶手段に、車両の平均速度又は旅行時間からなる渋滞情報を前記交通情報として格納する。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
本発明の他の態様に係るナビゲーション装置において、前記データ処理手段は、移動速度又は現在の旅行時間に基づいて、データベースの該当するリンクの交通情報を更新する。
【手続補正１６】
【補正対象書類名】明細書
【補正対象項目名】００２０
【補正方法】変更
【補正の内容】
【００２０】
本発明の他の態様に係るナビゲーション装置において、データ処理手段は、時計手段の出力に基づいて、地図データの各リンクに対応した、該当する時間帯の交通情報を更新する。
【手続補正１７】
【補正対象書類名】明細書
【補正対象項目名】００２１
【補正方法】変更
【補正の内容】
【００２１】
本発明の他の態様に係るプログラムは、上記のナビゲーション装置のデータ処理手段を中央処理装置に行わせるものである。